【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
患者の生体組織へ処置薬をデリバリーするための医用デバイスにおいて、
（ａ）表面を有する医用デバイスを備え、
（ｂ）前記医用デバイスの前記表面のうちの第１表面部分に形成された第１コーティング領域を備え、該第１コーティング領域は、第１処置薬を含有している第１コーティング層を含んでおり、
（ｃ）前記医用デバイスの前記表面のうちの第２表面部分に形成された第２コーティング領域を備え、該第２コーティング領域は、
（ｉ）第２処置薬を含有している第２コーティング層と、
（ii）前記第２コーティング層の上に形成された少なくとも１層の付加コーティング層である第１付加コーティング層とを含んでおり、該第１付加コーティング層は生体分解性または生体吸収性の第１材料を含有しており、
以上によって、前記第２コーティング領域が前記第２処置薬の放出を開始する前に前記第１コーティング領域が前記第１処置薬を放出できるようにした、
ことを特徴とする医用デバイス。
【請求項２】
前記第１処置薬の放出が完了する前に前記第２処置薬の放出が開始されることを特徴とする請求項１記載の医用デバイス。
【請求項３】
前記第１処置薬の放出が完了した後に前記第２処置薬の放出が開始されることを特徴とする請求項１記載の医用デバイス。
【請求項４】
前記第１処置薬と前記第２処置薬とが同一処置薬であることを特徴とする請求項１記載の医用デバイス。
【請求項５】
前記第１コーティング層が他のコーティング層によって覆われていないことを特徴とする請求項１記載の医用デバイス。
【請求項６】
前記第１コーティング層と前記第２コーティング層とが連続していることを特徴とする請求項１記載の医用デバイス。
【請求項７】
前記第１付加コーティング層が前記第２コーティング層の上に直接的に形成されていることを特徴とする請求項１記載の医用デバイス。
【請求項８】
前記第１付加コーティング層が前記第２コーティング層の上に間接的に形成されていることを特徴とする請求項１記載の医用デバイス。
【請求項９】
前記第２コーティング層と前記第１付加コーティング層との間に形成された中間コーティング層を更に備えたことを特徴とする請求項８記載の医用デバイス。
【請求項１０】
前記中間コーティング層が生体分解性または生体吸収性の材料を含有していることを特徴とする請求項９記載の医用デバイス。
【請求項１１】
前記中間コーティング層が第３処置薬を含有していることを特徴とする請求項９記載の医用デバイス。
【請求項１２】
前記中間コーティング層が生体分解性または生体吸収性の材料を更に含有していることを特徴とする請求項１１記載の医用デバイス。
【請求項１３】
前記第１コーティング層がポリマー材料を更に含有していることを特徴とする請求項１記載の医用デバイス。
【請求項１４】
前記第２コーティング層がポリマー材料を更に含有していることを特徴とする請求項１記載の医用デバイス。
【請求項１５】
前記第１処置薬が、抗血栓剤、抗血管形成剤、抗増殖剤、成長因子、または放射性化学物質を含有していることを特徴とする請求項１記載の医用デバイス。
【請求項１６】
前記抗増殖剤が、パクリタクセル、パクリタクセル類似体、またはパクリタクセル誘導体から成ることを特徴とする請求項１５記載の医用デバイス。
【請求項１７】
前記医用デバイスは筒状周壁部を有するステントであり、前記医用デバイスの前記第１表面部分が前記筒状周壁部の周方向に延在していることを特徴とする請求項１記載の医用デバイス。
【請求項１８】
前記医用デバイスは筒状周壁部を有するステントであり、前記医用デバイスの前記第１表面部分が前記筒状周壁部の長手軸方向に延在していることを特徴とする請求項１記載の医用デバイス。
【請求項１９】
前記医用デバイスの前記表面のうちの第３表面部分に形成された第３コーティング領域を更に備え、該第３コーティング領域は、
（ｉ）第３処置薬を含有している第３コーティング層と、
（ii）前記第３コーティング層の上に形成された少なくとも１層の付加コーティング層である第２付加コーティング層とを含んでおり、該第２付加コーティング層は生体分解性または生体吸収性の第２材料を含有している、
ことを特徴とする請求項１記載の医用デバイス。
【請求項２０】
前記第１処置薬と、前記第２処置薬と、前記第３処置薬とが同一処置薬であることを特徴とする請求項１９記載の医用デバイス。
【請求項２１】
前記第２付加コーティング層が前記第３コーティング層の上に直接的に形成されていることを特徴とする請求項１９記載の医用デバイス。
【請求項２２】
前記第２付加コーティング層が前記第３コーティング層の上に間接的に形成されていることを特徴とする請求項１９記載の医用デバイス。
【請求項２３】
前記第２コーティング層と前記第１付加コーティング層との間に形成された中間コーティング層を更に備えたことを特徴とする請求項２２記載の医用デバイス。
【請求項２４】
前記中間コーティング層が生体分解性または生体吸収性の材料を含有していることを特徴とする請求項２３記載の医用デバイス。
【請求項２５】
前記中間コーティング層が第４処置薬を含有していることを特徴とする請求項２３記載の医用デバイス。
【請求項２６】
前記中間コーティング層が生体分解性または生体吸収性の材料を更に含有していることを特徴とする請求項２５記載の医用デバイス。
【請求項２７】
前記第１コーティング層が、前記第２コーティング層と前記第３コーティング層との少なくとも一方に連続していることを特徴とする請求項１９記載の医用デバイス。
【請求項２８】
前記第２付加コーティング層の上に形成された少なくとも１層の付加コーティング層である第３付加コーティング層を更に備えることを特徴とする請求項１９記載の医用デバイス。
【請求項２９】
前記第３付加コーティング層が生体分解性または生体吸収性の第３材料を含有していることを特徴とする請求項２８記載の医用デバイス。
【請求項３０】
前記生体分解性または生体吸収性の第１材料と前記生体分解性または生体吸収性の第２材料とが同一の分解速度で分解することを特徴とする請求項１９記載の医用デバイス。
【請求項３１】
前記生体分解性または生体吸収性の第１材料と前記生体分解性または生体吸収性の第２材料とが異なった分解速度で分解することを特徴とする請求項１９記載の医用デバイス。
【請求項３２】
前記第１付加コーティング層の厚さを第１厚さとし、前記第２付加コーティング層の厚さを第２厚さとするとき、前記第１厚さと前記第２厚さとが同一でないことを特徴とする請求項１９記載の医用デバイス。
【請求項３３】
前記医用デバイスは筒状周壁部を有するステントであり、該筒状周壁部は内表面と外表面とを有し、前記第１コーティング領域及び前記第２コーティング領域は前記外表面に形成されていることを特徴とする請求項１記載の医用デバイス。
【請求項３４】
前記内表面に形成された第３コーティング領域を更に備え、該第３コーティング領域は、
（ｉ）第３処置薬を含有している第３コーティング層と、
（ii）前記第３コーティング層の上に形成された少なくとも１層の付加コーティング層である第２付加コーティング層とを含んでおり、該第２付加コーティング層は生体分解性または生体吸収性の第２材料を含有している、
ことを特徴とする請求項３３記載の医用デバイス。
【請求項３５】
患者へ処置薬をデリバリーするためのステントにおいて、
（ａ）表面を備え、
（ｂ）前記表面のうちの第１表面部分に形成された第１コーティング領域を備え、該第１コーティング領域は、第１処置薬と第１ポリマー材料とを含有している第１コーティング層を含んでおり、
（ｃ）前記医用デバイスの前記表面のうちの第２表面部分に形成された第２コーティング領域を備え、該第２コーティング領域は、
（ｉ）第２処置薬と第２ポリマー材料とを含有している第２コーティング層と、
（ii）前記第２コーティング層の上に形成された少なくとも１層の付加コーティング層とを含んでおり、該付加コーティング層は生体分解性または生体吸収性の第１材料を含有しており、
以上によって、前記第２コーティング領域が前記第２処置薬の放出を開始する前に前記第１コーティング領域が前記第１処置薬を放出できるようにしてあり、
更に、前記第１コーティング層と前記第２コーティング層とが連続しており、前記付加コーティング層が前記第２コーティング層の上に直接的に形成されている、
ことを特徴とするステント。
【請求項３６】
前記第１処置薬の放出が完了する前に前記第２処置薬の放出が開始されることを特徴とする請求項３５記載のステント。
【請求項３７】
前記第１処置薬の放出が完了した後に前記第２処置薬の放出が開始されることを特徴とする請求項３５記載のステント。
【請求項３８】
患者へ処置薬をデリバリーするためのステントにおいて、
（ａ）外表面と内表面とを有する筒状周壁部を備え、
（ｂ）前記外表面のうちの第１表面部分に形成された第１コーティング領域を備え、該第１コーティング領域は、第１処置薬とポリマー材料とを含有している第１コーティング層を含んでおり、
（ｃ）前記外表面のうちの第２表面部分に形成された第２コーティング領域を備え、該第２コーティング領域は、
（ｉ）第２処置薬と前記ポリマー材料とを含有している第２コーティング層と、
（ii）前記第２コーティング層の上に形成された少なくとも１層の付加コーティング層である第１付加コーティング層とを含んでおり、該第１付加コーティング層は生体分解性または生体吸収性の第１材料を含有しており、
以上によって、前記第２コーティング領域が前記第２処置薬の放出を開始する前に前記第１コーティング領域が前記第１処置薬を放出できるようにしてあり、
（ｄ）前記内表面のうちの一部表面に形成された第３コーティング領域を備え、該第３コーティング領域は、
（ｉ）第３処置薬と前記ポリマー材料とを含有している第３コーティング層と、
（ii）前記第３コーティング層の上に形成された少なくとも１層の付加コーティング層である第２付加コーティング層とを含んでおり、該第２付加コーティング層は生体分解性または生体吸収性の第２材料を含有しており、
更に、前記第１コーティング層と前記第２コーティング層とが連続しており、前記第１付加コーティング層が前記第２コーティング層の上に直接的に形成されている、
ことを特徴とするステント。
【請求項３９】
前記第１処置薬の放出が完了する前に前記第２処置薬の放出が開始されることを特徴とする請求項３８記載のステント。
【請求項４０】
前記第１処置薬の放出が完了した後に前記第２処置薬の放出が開始されることを特徴とする請求項３８記載のステント。
【請求項４１】
前記第２付加コーティング層の上に形成された少なくとも１層の付加コーティング層である第３付加コーティング層を更に備えることを特徴とする請求項３８記載のステント。
【請求項４２】
前記第３付加コーティング層が生体分解性または生体吸収性の第３材料を含有していることを特徴とする請求項４１記載のステント。
【請求項４３】
前記第２付加コーティング層が第４処置薬を更に含有していることを特徴とする請求項４１記載のステント。
【請求項４４】
前記第３付加コーティング層が第５処置薬を更に含有していることを特徴とする請求項４２記載のステント。